(57)【要約】【課題】  その目的とするところは綴じ部の綴じ具で怪我をする恐れがなく、接着剤の廃液や接着剤の供給タンクを洗浄した廃液の廃棄物処理の問題の発生することがない、綴じ具や接着剤を使用せずに綴じられる冊子を提供することにある。【解決手段】  表紙片とセンター頁片と当該表紙片とセンター頁片との間に挟まれる本文片から成る複数枚のシート片が、それぞれ折線部を介して二つ折りされており、前記折線部にて重ねられており、前記折線部の近傍であって前記折線部に沿って設けられた綴じ部にて前記複数枚のシート片が見開き可能に綴じ合わされてなる冊子であって、前記綴じ部が、所定の幅を備え、前記折線部に対して交差する向きを備え、表紙片側からセンター頁片側に向かって形成された、多数の噛み込みにより形成されていることを特徴とする冊子である。【選択図】        図１
2014091232.tif 000002
【特許請求の範囲】
【請求項１】
表紙片とセンター頁片と当該表紙片とセンター頁片との間に挟まれる本文片から成る複数枚のシート片が、
それぞれ折線部を介して二つ折りされており、
前記折線部にて重ねられており、
前記折線部の近傍であって前記折線部に沿って設けられた綴じ部にて前記複数枚のシート片が見開き可能に綴じ合わされてなる冊子であって、
前記綴じ部が、所定の幅を備え、前記折線部に対して交差する向きを備え、表紙片側からセンター頁片側に向かって形成された、多数の噛み込みにより形成されていることを特徴とする冊子。
【請求項２】
前記綴じ部は、うら表紙の側に形成されていることを特徴とする請求項１に記載の冊子。
【請求項３】
前記綴じ部は、うら表紙の側に形成されていると共に、前記綴じ部の外側に前記折線部に沿って折り曲げ部を更に備えることを特徴とする請求項１または請求項２に記載の冊子。
【発明の詳細な説明】
【技術分野】
【０００１】
本発明は、見開き可能な中綴じ冊子に関し、詳しくは綴じ具や接着剤を使用せずに綴じられる冊子に関する。
【背景技術】
【０００２】
従来、中綴じ冊子は、所定の枚数の紙片を開いた状態で丁合した本文片と表紙片とをそれぞれ中心に設けられた折線部にて重ね合わせ、折線部で一緒に綴じ、且つ当該折線部で二つ折りされて作られている。
中綴じ冊子は、針金等の綴じ具を用いた有線綴じ、接着剤を用いた無線綴じ等の方法により折線部で綴じられている。
有線綴じとしては、針金を表紙片の外側から本文片の内側に向かって通し、針金の先端部を互いに対向するように内向きに折り曲げて綴じる方法が広く知られている。
また、前記方法では針金は表紙片の外側に出ており、針金の先端部は本文片の折線部の内側に露出しているので針金の先端部が立ち上がった状態になると先端部に手指が触れて怪我をする危険性があり、当該危険性を回避するために本文片の内側から表紙片の外側に向かって針金を通して綴じる逆中綴じ本も開示されている（例えば、特許文献１参照）。
【０００３】
一方、無線綴じとしては、折丁の折畳み部にアジロミシン目が切込んであり、これらの折丁を製本の丁合工程で順次積み重ねてアジロミシン目から糊を注入し、糊付けした後、裁断して製本するアジロ製本が知られている（例えば、特許文献２参照）。
【０００４】
また、接着剤と綴じ具の両方を用いた中綴本も提案されている（例えば、特許文献３参照）。
【０００５】
有線綴じは、針金等を用いるために、前記のように針金の先端部で手指の怪我をする危険性がある。また、特許文献１に開示された有線綴じである逆中綴じ本は針金の先端部が外側にされており、外側に露出した先端部は接着剤を塗布して表紙で被覆されているので先端部で手指の怪我をすることは解消されたが接着剤を使用するために廃液処理をしなければならず後記の廃棄物処理の課題がある。さらに、有線綴じは、資源の再利用する際、針金は金属であるために再生紙化を図る前に針金を分別除去しなければならず再生紙処理コストがかかり、また不要となった冊子を焼却する際、針金は焼却せずに焼却炉内に残ってしまうため、焼却灰の処理が面倒になるという廃棄物処理の問題がある。
【０００６】
一方、無線綴じは、針金を使用しないので前記課題は解消されるが、接着剤を使用するために製本後、使用した接着剤の廃液を処理しなければならない、あるいは接着剤を供給する供給タンクを洗浄した際に発生する廃液を処理しなければならず、廃液処理が面倒になるという廃棄物処理での課題がある。
【先行技術文献】
【特許文献】
【０００７】
【特許文献１】実用新案登録第３０１７０３８号公報
【特許文献２】特開平１−９７６９２号公報
【特許文献３】特開２０００−１５３６８０号公報
【発明の概要】
【発明が解決しようとする課題】
【０００８】
そこで本発明は、上記問題を解決すべくなされたものであり、その目的とするところは綴じ部の綴じ具で怪我をする恐れがなく、接着剤の廃液や接着剤の供給タンクを洗浄した廃液の廃棄物処理の問題が発生することがなく、綴じ具や接着剤を使用せずに綴じられる冊子を提供することにある。
【課題を解決するための手段】
【０００９】
本発明は、上記課題を達成するために、請求項１記載の本発明は、表紙片とセンター頁片と当該表紙片とセンター頁片との間に挟まれる本文片から成る複数枚のシート片が、それぞれ折線部を介して二つ折りされており、前記折線部にて重ねられており、前記折線部の近傍であって前記折線部に沿って設けられた綴じ部にて前記複数枚のシート片が見開き可能に綴じ合わされてなる冊子であって、前記綴じ部が、所定の幅を備え、前記折線部に対して交差する向きを備え、表紙片側からセンター頁片側に向かって形成された、多数の噛み込みにより形成されていることを特徴とする冊子である。
【００１０】
また、請求項２記載の本発明は、請求項１に記載の冊子において、前記綴じ部は、うら表紙の側に形成されていることを特徴とするものである。
【００１１】
また、請求項３記載の本発明は、請求項１または請求項２に記載の冊子において、前記綴じ部は、うら表紙の側に形成されていると共に、前記綴じ部の外側に前記折線部に沿って折り曲げ部を更に備えることを特徴とするものである。
【発明の効果】
【００１２】
本発明の冊子は、表紙片とセンター頁片と当該表紙片とセンター頁片との間に挟まれる本文片から成る複数枚のシート片が、それぞれ折線部を介して二つ折りされており、前記折線部にて重ねられており、前記折線部の近傍であって前記折線部に沿って設けられた綴じ部にて前記複数枚のシート片が見開き可能に綴じ合わされてなる冊子であって、前記綴じ部が、所定の幅を備え、前記折線部に対して交差する向きを備え、表紙片側からセンター頁片側に向かって形成された、多数の噛み込みにより形成されている構成とすることにより、針金等の綴じ具や接着剤を使用せずに複数枚のシート片を中綴じ可能となる。
また、噛み込みによる各シート片同士の噛み込みが、冊子の左右方向に所定の幅を備えており、折線部と交差する角度を備えるので、折線部と平行な噛み込みと異なり、冊子を見開く際に、シート片同士が離間し難い。
さらに綴じ部の噛み込みが表紙片側からセンター頁片側に向って形成されているので、ある程度の厚みを備える複数枚のシート片から成る集合体に対し、雄金型と雌金型で加圧プレスすることによる噛み込みの形成において、表紙片の表面には凹部が形成され、センター頁の見開いた表面には凸部が形成されるが、製本工程においては、冊子をニップローラーに通して二つ折りする加工において、綴じ部が破損することがない。
【００１３】
また、請求項２記載の本発明は、前記綴じ部は、うら表紙の側に形成されている構成とすることにより、おもて表紙の側からセンター頁にかけて各頁を捲るにおいて、おもて表紙から、このおもて表紙に対向するセンター頁の片方に至るまでの冊子の前半部分（おもて表紙側）の各頁には、綴じ部が存在しないので、中央の折線部までの各頁を見開くことができ、中央の折線部までの各頁に情報を印刷することができ、情報量の最大化と綴じ部の機能維持を両立できる。
【００１４】
また、請求項３記載の本発明は、前記綴じ部は、うら表紙の側に形成されていると共に、前記綴じ部の外側に前記折線部に沿って折り曲げ部を更に備える構成とすることにより、請求項２の効果に加えて、センター頁の側からうら表紙にかけて各頁を捲るにおいて、うら表紙に対応するセンター頁の片方から、うら表紙に至るまでの冊子の後半部分（うら表紙側）の各頁には、綴じ部が存在するが同時に折り曲げ部も併設されているので、各頁を捲った際に、綴じ部より外側の折り曲げ部に力が作用して、この折り曲げ部を介して頁が捲れるので、綴じ部の外側端部に力が作用して、綴じ部から剥離することを抑制できる。
【図面の簡単な説明】
【００１５】
【図１】本発明に係る冊子の第一実施形態を示す斜視図であり、見開き状態を示す斜視図である。
【図２】本発明に係る冊子の第一実施形態を示す正面図、背面図である。
【図３】図１のＸ−Ｘ線断面図、Ｙ−Ｙ線断面図である。
【図４】本発明に係る冊子の第二実施形態を示す斜視図であり、見開き状態を示す斜視図である。
【図５】本発明に係る冊子の第三実施形態を示す背面図である。
【発明を実施するための形態】
【００１６】
上記の本発明について、図面等を用いて以下に詳述する。
【００１７】
図１は本発明に係る冊子の第一実施形態を示す斜視図であり、見開き状態を示す斜視図、図２は本発明に係る冊子の第一実施形態を示す正面図、背面図、図３は図１のＸ−Ｘ線断面図、Ｙ−Ｙ線断面図、図４は本発明に係る冊子の第二実施形態を示す斜視図であり、見開き状態を示す斜視図、図５は本発明に係る冊子の第三実施形態を示す背面図であり、図中の１、１’、１’’は冊子、２は折線部、３は綴じ部、３ａは噛み込み、４は折り曲げ部、１０は表紙片、１１はおもて表紙、１２はうら表紙、２０はセンター頁片、３０は本文片をそれぞれ示す。
【００１８】
図１は本発明に係る冊子の第一実施形態を示す斜視図であり、センター頁で見開き状態とした斜視図である。
本発明の冊子１の第一実施形態は図１に示す通りであり、表紙片１０とセンター頁片２０と当該表紙片１０とセンター頁片２０との間に挟まれる本文片３０から成る複数枚のシート片が、それぞれ折線部２を介して二つ折りされており、折線部２にて重ねられており、折線部２の近傍であって折線部２に沿って設けられた綴じ部３にて表紙片１０と本文片３０とセンター頁片２０のシート片が見開き可能に綴じ合わされてなる構成である。表紙片１０からなるシート片は折線部２を介しておもて表紙１１とうら表紙１２が連設されており、図１には折線部２の左側におもて表紙１１、右側にうら表紙１２を設けた形態を示している。また、図１に示した本文片３０は１枚であるが、提供する情報量に応じて複数枚設けることができる。
【００１９】
綴じ部３は、多数の噛み込み３ａで構成されており、噛み込み３ａは左右方向に所定の幅を備え、折線部２に対して交差する向きを備え、表紙片１０側からセンター頁片２０側に向かって形成され、表紙片１０と本文片３０とセンター頁片２０のシート片が多数の噛み込み３ａにより綴じられている。
このような構成とすることにより、針金等の綴じ具や接着剤を使用せずに複数枚のシート片を中綴じ可能となり、綴じ部の綴じ具で怪我をする恐れがなく、接着剤の廃液や接着剤の供給タンクを洗浄した廃液の廃棄物処理の問題の発生することもなく、環境面において環境負荷が軽減された冊子とできる。また、噛み込み３ａによる各シート片同士の噛み込みが、冊子１の左右方向に所定の幅を備えており、折線部２と交差する角度を備えるので、折線部２と平行な噛み込みと異なり、冊子１を見開く際に、シート片同士が離間し難いという効果がある。
【００２０】
綴じ部３は、多数の噛み込み３ａを群として所定の間隔をおいてうら表紙１２側の折線部２の近傍に設けられている。多数の噛み込み３ａを群として上下方向に間隔をあけて複数個設ける場合、群の上下方向の長さ、群の数、群の間隔は綴じるシート片の枚数、シート片の厚みに応じて適宜設ければよい。また、多数の噛み込み３ａを群ではなく、上下方向に間隔をあけることなく帯状に設けることもできる。
【００２１】
また、綴じ部３はおもて表紙１１側、または、おもて表紙１１およびうら表紙１２の両側に設けることもできるが、図１に示すように綴じ部３はうら表紙１２側に設ける方が好ましい。
そうすることにより、おもて表紙１１の側からセンター頁片２０にかけて各頁を捲るにおいて、おもて表紙１１から、このおもて表紙１１に対向するセンター頁片２０の片方の左側頁に至るまでの冊子１の前半部分（おもて表紙１１側）の各頁には、綴じ部３ａが存在しないので、中央の折線部２までの各頁を見開くことができ、中央の折線部２までの各頁に情報を印刷することができ、情報量の最大化と綴じ部３の機能維持を両立できるものとなる。
【００２２】
図２は本発明に係る冊子１の平面図であり、図２（イ）は正面図であり、図２（ロ）は背面図であって冊子１の折線部２を回転軸として１８０度回転させた状態を示す。図２に示すように綴じ部３はうら表紙１２側から見えており、噛み込み３ａのうら表紙１２の外側水平面より凹んだ凹部となっている。
【００２３】
図３は図１の断面図であり、図３（イ）はＸ−Ｘ線断面図、図３（ロ）はＹ−Ｙ線断面図を示す。図３に示すとおり、綴じ部３の噛み込み３ａが表紙片１０側からセンター頁片２０側に向って形成され、噛み込み３ａはうら表紙１２側ではうら表紙１２の外側水平面より内側（上側）に凹んだ凹部となり、センター頁片２０の表面（上側）では凸部となっている。噛み込み３ａは例えば所定の形状の噛み込みを多数備えた雄金型と雌金型で複数枚のシート片から成る集合体を加圧プレスすることにより形成される。このような構成とすることにより、うら表紙１２の表面には凹部が形成され、センター頁片２０の見開いた右側の表面には凸部が形成されているが、製本工程においては、冊子１をニップローラーに通して折線部２で二つ折りする加工において、綴じ部３が破損することがない。
【００２４】
図４は本発明に係る冊子の第二実施形態を示す斜視図であり、見開き状態を示す斜視図である。第二実施形態の冊子１’はうら表紙１２側に折線部２に沿って設けられた綴じ部３の外側に折線部２に沿って折り曲げ部４を備えた構成であり、その他は第一実施形態の冊子と同じであり、同符号を付して説明を省略する。折り曲げ部４はセンター頁片２０、本文片３０に例えばミシン目線により形成される。
折り曲げ部４を備えたことにより、センター頁片２０の側からうら表紙１２にかけて各頁を捲るにおいて、うら表紙１２に対応するセンター頁２０の片方の右側頁から、うら表紙１２に至るまでの冊子１’の後半部分（うら表紙１２側）の各頁には、綴じ部３が存在するが同時に折り曲げ部４も併設されているので、各頁を捲った際に、綴じ部３より外側の折り曲げ部４に力が作用して、この折り曲げ部４を介して頁が捲れるので、綴じ部３の外側端部に力が作用して、綴じ部３から剥離することを抑制できる。
【００２５】
図５は本発明に係る冊子の第三実施形態を示す背面図である。第三実施形態の冊子１’’は第二実施形態の冊子１’とは綴じ部３の構成のみが異なり、その他は第二実施形態の冊子１’と同じであり、同符号を付して説明を省略する。第三実施形態の冊子１’’の綴じ部３は、多数の噛み込み３ａが群ではなく上下方向に間隔をあけることなく帯状に設けられている。
このようにすることにより、第一実施形態および第二実施形態の冊子が奏する効果に加え、冊子１’’を見開く際に、シート片同士がより一層、離間し難いものとなる。
【符号の説明】
【００２６】
１、１’、１’’          冊子
２                        折線部
３                        綴じ部
３ａ                      噛み込み
４                        折り曲げ部
１０                      表紙片
１１                      おもて表紙
１２                      うら表紙
２０                      センター頁片
３０                      本文片
【図１】
2014091232.tif 000003
【図２】
2014091232.tif 000004
【図３】
2014091232.tif 000005
【図４】
2014091232.tif 000006
【図５】
2014091232.tif 000007